(57)【特許請求の範囲】
【請求項１】
カードが挿入、排出されるカード挿入口と、
前記カード挿入口に連通して形成されたカード挿入路と、
前記カード挿入路に対して進出方向及び退出方向に移動可能に設けられ、前記カード挿入路に挿入されたカードが当接することにより前記カード挿入路から前記退出方向に移動するシャッタ部材と、
前記シャッタ部材に対して、前記シャッタ部材の前記進出方向に付勢力を付与する付勢手段と、
前記シャッタ部材と当接した状態では、前記シャッタ部材の前記退出方向への移動を規制するストッパ部と、
前記挿入されたカードが当接するように前記カード挿入路に突出して設けられたカード当接部を有し、前記シャッタ部材と当接して設けられるレバー部材と、
を備え、
前記シャッタ部材と前記ストッパ部とは、前記カード当接部に前記挿入されたカードが当接して前記レバー部材を揺動させることにより、前記シャッタ部材が前記ストッパ部に対して移動して、前記シャッタ部材が前記退出方向に移動可能となるように前記当接状態が解かれることを特徴とするカード処理装置。
【請求項２】
前記シャッタ部材は、前記レバー部材に当接するレバー部材当接部と、前記ストッパ部に当接するストッパ当接部とを有し、カード挿入方向とは交わる方向に伸びる中心軸回りに揺動可能且つ前記中心軸方向に移動可能に設けられており、
前記シャッタ部材は、前記中心軸回りに揺動することにより、前記カード挿入路に対して進出方向及び退出方向に移動し、
前記レバー部材の揺動が前記レバー部材当接部を介して前記シャッタ部材に伝達されることにより、前記シャッタ部材は前記カード挿入方向と交わる前記方向に移動されて、前記ストッパ当接部と前記ストッパ部との前記当接状態が解かれることを特徴とする請求項１に記載のカード処理装置。
【請求項３】
前記ストッパ当接部は、前記シャッタ部材に前記中心軸方向に所定間隔を有して複数設けられ、
前記ストッパ部は、前記ストッパ当接部に対応して、複数設けられていることを特徴とする請求項２に記載のカード処理装置。
【請求項４】
前記カード挿入路は、カード厚さ方向に一対の壁部を有し、
前記シャッタ部材は、前記カード挿入路の一方の壁部側から前記カード挿入路に進出するように設けられ、
前記カード挿入路の他方の壁部には、前記カード挿入路に進出した前記シャッタ部材の先端部が位置する孔部が設けられ、
前記孔部は、前記先端部が前記中心軸方向に移動し得るように前記中心軸方向に所定の間隔を有する第１孔部と、前記中心軸方向での間隔が前記第１孔部より小さい間隔を有し、且つ、前記先端部が前記中心軸方向に移動された状態から前記中心軸回りに揺動し得るように前記カード挿入方向に所定の間隔を有する第２孔部とを含み、
前記ストッパ部は、前記第１孔部を形成する壁面のうち前記カード挿入方向で見て前側の壁面で構成されることを特徴とする請求項２又は３に記載のカード処理装置。
【請求項５】
前記シャッタ部材と前記ストッパ部とが当接する位置に復帰させるために、前記シャッタ部材に対して前記中心軸方向に付勢力を付与する弾性部材が設けられており、
前記弾性部材により付与される前記付勢力は、前記レバー部材に対して前記カード当接部を前記カード挿入路に突出させる方向に作用することを特徴とする請求項２〜４のいずれか一項に記載のカード処理装置。
【請求項６】
前記カード当接部には、カード厚さ方向に所定間隔を有する溝部が形成されており、
前記溝部の底部と前記カード当接部に対向する前記カード挿入路の壁部とのカード挿入方向に直交する方向での間隔が、使用されるカードの挿入方向に直交する方向でのカード幅より大きい値に設定されていることを特徴とする請求項１〜５のいずれか一項に記載のカード処理装置。
【請求項７】
前記溝部の開口部近傍は、カード挿入方向から見て、テーパ状に形成されていることを特徴とする請求項６に記載のカード処理装置。
【請求項８】
前記レバー部材に当接して、前記レバー部材の揺動方向に応じてＯＮ又はＯＦＦするスイッチ手段が設けられていることを特徴とする請求項１〜７のいずれか一項に記載のカード処理装置。
【発明の詳細な説明】
【０００１】
【発明の属する技術分野】
本発明は、磁気カードやＩＣカードのデータを処理するカード処理装置に関し、特にカード処理装置におけるカードの挿入機構に関する。
【０００２】
【従来の技術】
一般に、この種のカード処理装置は、カードが挿入、排出されるカード挿入口と、カード挿入口に連通して形成されたカード挿入路と、カード挿入路内にてカードのデータを処理するデータ処理部とから概ね構成されている。例えば、ＩＣカード処理装置にあっては、データ処理部として、カード挿入路に挿入されたＩＣカードに当接するカード当接部と、ＩＣカードの電極部と対接する接点端子とを有する接点ユニットが備えられている。接点ユニットは、カード当接部に挿入されたＩＣカードが当接することにより、挿入されたＩＣカードと共に装置本体に対して移動することにより、カード挿入路内に接点端子を進出させるように構成されている。従って、ＩＣカード処理装置においては、挿入されたＩＣカードの接点端子とＩＣカードの電極部とが対接した状態において、これら接点端子と電極部を介してＩＣカードのデータ処理が行われる。（特開平８−２６３６０２号公報参照）
【０００３】
【発明が解決しようとする課題】
上述したようなカード処理装置においては、カード挿入口から異物等が挿入されることにより、接点ユニット等のデータ処理部が損傷を受ける、あるいは、カード挿入路が詰まりカードが挿入できなくなるといった問題が発生し、ＩＣカードのデータ処理が適切に行えなくなることがある。このため、カード挿入口から異物等が挿入されることを防止するために、カード挿入路にシャッタ部材を設けることが考えられるが、使用するカードが挿入されるときには、カードの挿入に対して障害とならないようシャッタ部材を移動させる必要がある。シャッタ部材の移動制御のために、カードの挿入を検出するフォトセンサ、シャッタ部材を移動させる電磁ソレノイド等を設け、電気的に制御することが考えられる。しかしながら、上述した構造にあっては、フォトセンサ及び電磁ソレノイド等をレイアウトするために、カード処理装置の大型化及び装置構成の複雑化は避けられない。
【０００４】
本発明は上述の点に鑑みてなされたもので、カード挿入口から異物等が挿入されることを防止するためのシャッタ部材を、カード処理装置の大型化及び装置構成の複雑化を招くことなく、且つ、カード挿入路へのカードの挿入に対して障害とならないように設けることが可能なカード処理装置を提供することを目的とする。
【０００５】
【課題を解決するための手段】
請求項１に記載の発明は、カードが挿入、排出されるカード挿入口と、カード挿入口に連通して形成されたカード挿入路と、カード挿入路に対して進出方向及び退出方向に移動可能に設けられ、カード挿入路に挿入されたカードが当接することによりカード挿入路から退出方向に移動するシャッタ部材と、シャッタ部材に対して、シャッタ部材の進出方向に付勢力を付与する付勢手段と、シャッタ部材と当接した状態では、シャッタ部材の退出方向への移動を規制するストッパ部と、挿入されたカードが当接するようにカード挿入路に突出して設けられたカード当接部を有し、シャッタ部材と当接して設けられるレバー部材と、を備え、シャッタ部材とストッパ部とは、カード当接部に挿入されたカードが当接してレバー部材を揺動させることにより、シャッタ部材がストッパ部に対して移動して、シャッタ部材が退出方向に移動可能となるように当接状態が解かれることを特徴としている。
【０００６】
請求項１に記載のカード処理装置によれば、カードが挿入されていない状態において、シャッタ部材は、付勢手段によりカード挿入路に対して進出方向に付勢力が付与され、ストッパ部との当接関係により退出方向への移動を規制されているため、カード挿入路に対して進出した状態が維持される。これにより、カード挿入口からカード挿入路に異物等が挿入されることを防止することができる。また、カード挿入路に挿入されたカードが挿入された場合には、挿入されたカードがカード当接部に当接することによりレバー部材が揺動し、シャッタ部材がストッパ部に対して移動して、ストッパ部とシャッタ部材との当接状態が解かれる。これにより、シャッタ部材は退出方向に移動可能となり、挿入されたカードにより押され、付勢手段による付勢力に抗しながらカード挿入路から退出方向に移動する。従って、フォトセンサ及び電磁ソレノイド等を設けることなく、シャッタ部材とレバー部材とによる機械的な可動機構により、シャッタ部材をカード挿入路へのカードの挿入に対して障害とならないように移動させることが可能となり、カード処理装置の大型化及び装置構成の複雑化を招くことが防止できる。
【０００７】
請求項２に記載の発明は、請求項１に記載の発明において、シャッタ部材は、レバー部材に当接するレバー部材当接部と、ストッパ部に当接するストッパ当接部とを有し、カード挿入方向とは交わる方向に伸びる中心軸回りに揺動可能且つ中心軸方向に移動可能に設けられており、シャッタ部材は、中心軸回りに揺動することにより、カード挿入路に対して進出方向及び退出方向に移動し、レバー部材の揺動がレバー部材当接部を介してシャッタ部材に伝達されることにより、シャッタ部材はカード挿入方向と交わる方向に移動されて、ストッパ当接部とストッパ部との当接状態が解かれることを特徴としている。この場合には、シャッタ部材の、カード挿入路に対して進出方向及び退出方向への移動、及び、ストッパ部との当接状態を解除するための移動を実現するための構造を、簡易且つ低コストで実現することが可能となる。
【０００８】
請求項３に記載の発明は、請求項２に記載の発明において、ストッパ当接部は、シャッタ部材に中心軸方向に所定間隔を有して複数設けられ、ストッパ部は、ストッパ当接部に対応して、複数設けられていることを特徴としている。この場合には、カード挿入口からカード挿入路に異物、例えば金尺を強制的に挿入しようとした場合でも、シャッタ部材はストッパ当接部が設けられた複数の位置にてストッパ部に当接するので、異物を押し込むことにより作用する力がシャッタ部材から各ストッパ部に分散して作用することになり、上述した力が集中することによるシャッタ部材の変形を抑制することができ、シャッタ部材の変形による異物の挿入を防止することが可能となる。
【００１０】
請求項４に記載の発明は、請求項２又は３に記載の発明において、カード挿入路は、カード厚さ方向に一対の壁部を有し、シャッタ部材は、カード挿入路の一方の壁部側からカード挿入路に進出するように設けられ、カード挿入路の他方の壁部には、カード挿入路に進出したシャッタ部材の先端部が位置する孔部が設けられ、孔部は、先端部が中心軸方向に移動し得るように中心軸方向に所定の間隔を有する第１孔部と、中心軸方向での間隔が第１孔部より小さい間隔を有し、且つ、先端部が中心軸方向に移動された状態から中心軸回りに揺動し得るようにカード挿入方向に所定の間隔を有する第２孔部とを含み、ストッパ部は、第１孔部を形成する壁面のうちカード挿入方向で見て前側の壁面で構成されることを特徴としている。この場合には、カード挿入路の他方の壁部に設けられた孔部に、カード挿入路に進出したシャッタ部材の先端部が位置するため、カード挿入口から紙あるいは金尺といった厚さの薄い異物が挿入された場合においても、上述したような異物の挿入を確実に阻止することが可能となる。また、孔部には、先端部が中心軸方向に移動し得るように中心軸方向に所定の間隔を有する第１孔部と、中心軸方向での間隔が第１孔部より小さい間隔を有し、且つ、先端部が中心軸方向に移動された状態から中心軸回りに揺動し得るようにカード挿入方向に所定の間隔を有する第２孔部とが設けられており、第１孔部を形成する壁面のうちカード挿入方向で見て前側の壁面をストッパ部とするため、孔部にも、シャッタ部材の退出方向への移動を規制するためのストッパ部の機能を持たせることができ、構成の簡素化を図ることが可能となる。
【００１１】
請求項５に記載の発明は、請求項２〜４のいずれか一項に記載の発明において、シャッタ部材とストッパ部とが当接する位置に復帰させるために、シャッタ部材に対して中心軸方向に付勢力を付与する弾性部材が設けられており、弾性部材により付与される付勢力は、レバー部材に対してカード当接部をカード挿入路に突出させる方向に作用することを特徴としている。この場合には、弾性部材の付勢力により、カード当接部がカード挿入路に突出し、且つ、ストッパ部によりシャッタ部材の退出方向への移動を規制した状態が維持される。従って、上述した弾性部材を設けることにより、シャッタ部材の退出方向への移動を規制した状態を、レバー部材及びシャッタ部材の初期状態として設定することが可能となり、構成の簡素化及び部品点数の削減を図ることができる。
【００１２】
請求項６に記載の発明は、請求項１〜５のいずれか一項に記載の発明において、カード当接部には、カード厚さ方向に所定間隔を有する溝部が形成されており、溝部の底部とカード当接部に対向するカード挿入路の壁部とのカード挿入方向に直交する方向での間隔が、使用されるカードの挿入方向に直交する方向でのカード幅より大きい値に設定されていることを特徴としている。この場合には、使用されるカードより厚さの薄いカードが挿入された場合には、使用されるカードより厚さの薄いカードが溝部を通過するので、レバー部材が揺動することはない。これにより、シャッタ部材の退出方向への移動を規制した状態が維持され、誤って、使用されるカードより厚さの薄いカードが挿入されることを防止できる。以上のことから、新たにセンサ等を設けることなく、カード厚さの検知を機械的に行うことが可能となる。
【００１３】
請求項７に記載の発明は、請求項６に記載の発明において、溝部の開口部近傍は、カード挿入方向から見て、テーパ状に形成されていることを特徴としている。この場合には、使用されるカードのカード厚さにバラツキが存在する場合でも、このバラツキを吸収してスムーズにカードを挿入することが可能となる。
【００１４】
請求項８に記載の発明は、請求項１〜７のいずれか一項に記載の発明において、レバー部材に当接して、レバー部材の揺動方向に応じてＯＮ又はＯＦＦするスイッチ手段が設けられていることを特徴としている。この場合には、カードが挿入されることによりレバー部材が揺動することを利用して、カード挿入口からカードが挿入されたことを検出することが可能となる。これにより、カードが挿入されたことを検出する検出手段を簡素化することができる。
【００１５】
【発明の実施の形態】
以下、本発明の実施形態を図面に基づいて説明する。
【００１６】
図１は本発明に係るカード処理装置の全体の外観を示す斜視図、図２は同じくカバーを取った状態での平面図、図３は同じくカバーを取った状態での正面図、図４は図２におけるＩＶ−ＩＶ線に沿った断面図、図５は図２におけるＶ−Ｖ線に沿った断面図である。本実施形態においては、ＩＣカード処理装置に適用した例を示している。
【００１７】
機器本体Ａは、概ねベース板１と囲い壁２とで構成されている。ベース板１は、合成樹脂で略平板状に形成されている。ベース板１には前方側、すなわちＩＣカードＣを挿入する側に矩形の切欠部３が形成されている。囲い壁２は、ベース板１を囲むようにして平面視略コ字状にベース板１と一体形成されており、ＩＣカードＣを挿入する側が開放されている。囲い壁２は、互いに対向して設けられカード挿入方向に延びる壁部２ａ，２ｂと、カード挿入方向に直交する方向に延びる壁部２ｃとで構成されている。
【００１８】
ベース板１の下面には、切欠部３と連設された凹部４が形成されている。凹部４の両側壁４ａ，４ｂは、ＩＣカードＣの幅よりも僅かに大きい間隔を隔てて対向するようにして、カード挿入方向に延設されている。凹部４は、囲い壁２のカード挿入方向に直交する壁部２ｃに形成された開口部５にも連設されて形成されており、カード挿入方向前方が機器本体Ａの外に開口している。凹部４のカード挿入方向の前端近傍には、一方の側壁４ａから突出した突出部（図示せず）が凹部４内に設けられている。突出部（図示せず）は、凹部４内に挿入されるＩＣカードＣの前端が当接し、ＩＣカードＣの挿入限界を決めるカード用ストッパとして機能する。
【００１９】
ベース板１のカード挿入方向に直交する方向で見て略中央には、ガイド溝８ａが穿設された一対の第１ガイド壁８，８が対向して設けられ、一対の第１ガイド壁８，８間にはカード挿入方向前方に延在するガイド孔９が穿設されている。ガイド溝８ａは、カード挿入方向で見てガイド溝８ａの前側部分が後側部分に比してベース板１に近づけられて（カード挿入方向に向かって前下がり）形成されている。ガイド孔９のカード挿入方向で見て前側端部の一方の側部には、第２ガイド壁１０が立設されている。第２ガイド壁１０の上部には、ガイド溝８ａと同様に、前側部分が後側部分に比してベース板１に近づけられて（カード挿入方向に向かって前下がり）形成されたガイド面１０ａが設けられている。ガイド孔９のカード挿入方向で見て前側端部のには、断面略逆Ｌ字状に形成された規制部１２が立設されている。規制部１２の上部の下面はストッパ面を形成している。ガイド孔９のカード挿入方向に見て後側端部には、一対の第１ガイド壁８，８間にカード挿入方向に直交する方向に延びる縦壁１１が立設されている。縦壁１１には、フック部１１ａがカード挿入方向で見て前方に突出して形成されている。ガイド孔９と囲い壁２のカード挿入方向に延びる一方の壁部２ｂとの間に位置するベース板１には、ガイド孔９と同方向に延在するサブガイド孔１３が穿設されている。サブガイド孔１３は、凹部４の突出部（図示せず）が設けられる側壁４ａに対向する側壁４ｂを一部切り欠く形で形成される。
【００２０】
平面視で、ガイド孔９と囲い壁２のカード挿入方向に延びる他方の壁部２ａとの間に位置するベース板１の上面には、ピン１４ａ，１４ｂがカード挿入方向に略直列に立設されている。ピン１４ａ，１４ｂには、カードの挿入状態を検出する第１マイクロスイッチ１５が位置決めされて固定される。ピン１４ａ，１４ｂには第１マイクロスイッチ１５が圧入されてベース板１上に取り付けられている。第１マイクロスイッチ１５は、平面視長方形を呈しており、長軸方向がカード挿入方向と略平行、且つ、第１マイクロスイッチ１５のスイッチ部１５ａが壁部２ａに対向するように設けられている。ここで、第１マイクロスイッチ１５（スイッチ部１５ａ）が各請求項におけるスイッチ手段を構成している。
【００２１】
平面視で、ガイド孔９（カード挿入方向で見て前側端部）と囲い壁２のカード挿入方向と直交する方向に延びる壁部２ｃとの間に位置するベース板１の上面には、ピン１４ｃ，１４ｄがカード挿入方向と直交する方向に略直列に立設されている。ピン１４ｃ，１４ｄには、カードの挿入状態を検出する第２マイクロスイッチ１６が位置決めされて固定される。ピン１４ｃ，１４ｄには第２マイクロスイッチ１６が圧入されてベース板１上に取り付けられている。第２マイクロスイッチ１６は、平面視長方形を呈しており、長軸方向がカード挿入方向と略直交、且つ、第２マイクロスイッチ１６のスイッチ部１６ａがカード挿入方向後側に向くように設けられている。
【００２２】
ベース板１の下面には、ＩＣカードＣの厚みよりもやや大きい間隔を隔てて、ベース板１と対向する合成樹脂製の底板１８が固定されている。底板１８には、ベース板１の切欠部３に対応して略同じ外形の切欠部１９が形成されている。ベース板１の凹部４がこの底板１８によって覆われることにより、凹部４と底板１８とで画成される空間がカード挿入路２０を形成することになると共に、ベース板１及び底板１８の端部にカード挿入口２１が形成されることになる。底板１８には、囲い壁２のカード挿入方向に延びる一方の壁部２ｂと近傍の位置に、ベース板１に形成されたサブガイド孔１３に対応して、サブガイド孔１３と同方向に延在する切欠部２２が穿設されている。底板１８のカード挿入方向に見て後方側には、切欠部１９を挟んでカード載置部１８ａ，１８ｂが対向するように設けられている。
【００２３】
底板１８の一方のカード載置部１８ｂには、ＩＣカードＣ上に記録された磁気情報を読み出すための磁気ヘッド２５が、凹部４の一方の側壁４ｂからカード挿入方向に直交する方向に所定距離を隔てて設けられている。磁気ヘッド２５は、底板１８下面からカード厚み方向（上下方向）に延びて固定された支柱２６，２６上をカード厚み方向に移動可能となっており、バネ２７により底板１８方向（上方）に付勢力が与えられている。磁気ヘッド２５が設けられるカード載置部１８ｂに対向するベース板１の対向面１ａには、磁気ヘッド２５に対向してローラ２８が設けられている。ローラ２８は、ベース板１の対向面１ａ上に突設されたボス部２９に固定されたシャフト３０に回転自在に軸支されている。
【００２４】
ベース板１のガイド壁８には、接点ユニット３１が支持されている。接点ユニット３１は、厚みの薄い直方体に形成された端子取付部３２と、カード挿入路２０に挿入されたＩＣカードＣが当接するカード当接部３３とを有している。端子取付部３２とカード当接部３３とは、腕部３４により接続されており、これら端子取付部３２、カード当接部３３及び腕部３４は合成樹脂により一体成形されている。端子取付部３２のカード挿入方向で後方側となる位置の両側には、一対のダボ３５，３５が突出形成されている。端子取付部３２の下面３２ａには、薄片状の導電材をくの字状に折り曲げ形成した接点端子３６が取り付けられている。また、端子取付部３２のカード挿入方向で前方側となる位置の一方の側部（カード当接部が設けられる側と反対側）には、ダボ（図示せず）が突出形成されている。腕部３４にはバネ掛け部３８が形成され、カード当接部３３にはカード当接面３９が形成されている。
【００２５】
接点ユニット３１は、ガイド壁８のガイド溝８ａの開口からダボ３５，３５をガイド溝８ａ内に係入し、縦壁１１のフック部１１ａとバネ掛け部３８とに引張りスプリング４１を掛けることによって、常に、カード当接部３３のカード当接面３９がベース板１のサブガイド孔１３を介して凹部４に臨むようにガイド壁８に支持される。ダボ（図示せず）は、フック部１１ａとバネ掛け部３８とに引張りスプリング４１が掛けられた状態で、第２ガイド壁１０のガイド面１０ａに当接する。カード当接部３３（カード当接面３９）は凹部４の側壁４ｂに近接した位置に設けられることになり、カード挿入路２０に挿入されたＩＣカードＣの角部が当接するように構成されている。ガイド壁８に支持された接点ユニット３１は、ガイド溝８ａ及びガイド面１０ａによって、後方斜め上方から前方斜め下方に移動自在に案内され、引張りスプリング４１によって、接点ユニット３１を常時後方側に付勢されている。端子取付部３２はベース板１のガイド孔９内をカード挿入方向の前後方向に移動し、カード当接部３３はベース板１のサブガイド孔１３内をカード挿入方向の前後方向に移動する。
【００２６】
切欠部３のカード挿入方向に見て前端部分には、シャッタ部材４２が設けられている。シャッタ部材４２は、ベース板１に穿設されたシャッタ部材格納孔（図示せず）内に設けられている。シャッタ部材格納孔（図示せず）は、そのカード挿入方向に直交する方向での長さが凹部４のカード挿入方向に直交する方向での幅より長く設定されている。シャッタ部材４２は、図１０にも示されるように、囲い壁２の対向する壁部２ａ，２ｂ間に架設されたシャフト４４に対して揺動自在に支持されている。シャフト４４は、シャッタ部材格納孔（図示せず）の上方に位置して設けられている。これらの構成により、シャッタ部材４２は、ベース板１側から、凹部４（カード挿入路２０）に対して進出方向及び退出方向に移動自在に設けられることになる。シャッタ部材４２は、バネ４５により、凹部４（カード挿入路２０）に対して進出方向に常に付勢力が付与されている。また、シャッタ部材４２は、バネ４６により、カード挿入方向に直交する方向で且つカード挿入方向に延びる壁部２ｂからカード挿入方向に延びる壁部２ａの方向に常に付勢力が付与されている。ここで、バネ４５は請求項における付勢手段を、バネ４６は請求項における弾性部材を構成している。
【００２７】
シャッタ部材４２は、ベース板１の凹部４のカード挿入方向に直交する方向での幅よりやや短いシャッタ部４２ａと、中心軸方向（カードのカード挿入方向に直交する幅方向）に所定間隔を隔てて設けられ、シャフト４４に軸支される一対の軸受部４２ｂ，４２ｂとを有している。シャッタ部４２ａは、凹部４（カード挿入路２０）に対して進出した状態において、カード挿入路２０を概ね塞ぐようにその形状が設定されている。シャッタ部４２ａの先端部には、シャフト４４の中心軸方向（カードのカード挿入方向に直交する幅方向）に所定間隔を隔てて、複数の突出部４７ａ，４７ｂ，４７ｃ，４７ｄ，４７ｅがシャッタ部４２ａと一体的に設けられており、シャッタ部４２ａは櫛形に形成されている。各突出部４７ａ，４７ｂ，４７ｃ，４７ｄ，４７ｅは、シャフト４４の中心軸方向（カードのカード挿入方向に直交する幅方向）に所定の長さを有している。シャフト４４の中心軸方向（カードのカード挿入方向に直交する幅方向）に見て両端に位置する突出部４７ａ，４７ｅには、ＩＣカードＣの挿入、引き抜きをスムーズに行わせるため、ＩＣカードＣと当接する爪部４８，４８が一体的に設けられている。爪部４８，４８は、各爪部４８が挿入されたＩＣカードＣのカード挿入方向に直交する幅方向での端部の表面に当接するように、その位置が設定されている。シャッタ部４２ａは、図３あるいは図１０にも示されているように、凹部４（カード挿入路２０）に対して進出した状態において、シャッタ部４２ａの爪部４８（突出部４７ａ，４７ｅ）が設けられた位置でのカード厚さ方向の長さが、突出部４７ｂ，４７ｃ，４７ｄが設けられた位置でのカード厚さ方向の長さより長くなるように、その形状が設定されている。
【００２８】
シャフト４４の中心軸方向（カードのカード挿入方向に直交する幅方向）に見て両端に位置する突出部４７ａ，４７ｅのうち一方の突出部４７ａには、カード挿入方向前方に延設される第１延設部４９が一体的に設けられて形成されている。一対の軸受部４２ｂ，４２ｂのうち、第１延設部４９からシャフト４４の中心軸方向に見て遠い（壁部２ｂに近い）軸受部４２ｂには、カード挿入方向後方に延設される第２延設部５０が一体的に設けられて形成されている。また、シャッタ部４２ａの第１延設部４９が設けられる側の端部には、カード厚さ方向で見て突出部４７ａが延びる方向とは反対の方向（上方）に延設されるレバー部材当接部５１が一体的に設けられている。ここで、第１延設部４９及び第２延設部５０は、各請求項におけるストッパ当接部を構成している。同様に、突出部４７ｂ，４７ｃ，４７ｄ，４７ｅも、各請求項におけるストッパ当接部を構成している。
【００２９】
底板１８には、シャッタ部材４２が凹部４（カード挿入路２０）に対して進出して、シャッタ部４２ａによりカード挿入路２０が塞がれた状態において、各突出部４７ａ，４７ｂ，４７ｃ，４７ｄ，４７ｅの入り得る孔部５２，５３，５４，５５，５６が、各突出部４７ａ，４７ｂ，４７ｃ，４７ｄ，４７ｅに対応する位置に、各々形成されている。各孔部５２，５３，５４，５５，５６は、第１孔部５２ａ，５３ａ，５４ａ，５５ａ，５６ａと第２孔部５２ｂ，５３ｂ，５４ｂ，５５ｂ，５６ｂとを有している。第１孔部５２ａ，５３ａ，５４ａ，５５ａ，５６ａは、各突出部４７ａ，４７ｂ，４７ｃ，４７ｄ，４７ｅがシャフト４４の中心軸方向（カードのカード挿入方向に直交する幅方向）に移動し得るようにシャフト４４の中心軸方向（カードのカード挿入方向に直交する幅方向）に所定の間隔を有している。第２孔部５２ｂ，５３ｂ，５４ｂ，５５ｂ，５６ｂは、シャフト４４の中心軸方向（カードのカード挿入方向に直交する幅方向）での間隔が第１孔部より小さい間隔を有し、且つ、シャッタ部材４２がシャフト４４の中心軸方向（カードのカード挿入方向に直交する幅方向）に移動された状態からシャフト４４回りに揺動し得るように、カード挿入方向に各突出部４７ａ，４７ｂ，４７ｃ，４７ｄ，４７ｅの先端の移動軌跡と干渉しない所定の間隔を有している。シャフト４４の中心軸方向（カードのカード挿入方向に直交する幅方向）に見て両端に位置する突出部４７ａ，４７ｅに対応する孔部５２，５６の第２孔部５２ｂ，５６ｂのカード挿入方向での間隔は、特に、爪部４８，４８の先端の移動軌跡と干渉しないように、他の第２孔部５３ｂ，５４ｂ，５５ｂのカード挿入方向での間隔よりも大きく設定されている。
【００３０】
第１孔部５２ａ，５３ａ，５４ａ，５５ａ，５６ａは、カード挿入方向で見て前側の壁面５２ｃ，５３ｃ，５４ｃ，５５ｃ，５６ｃとカード挿入方向で見て後側の壁面５２ｄ，５３ｄ，５４ｄ，５５ｄ，５６ｄとの間に形成されている。
シャフト４４の中心軸方向（カードのカード挿入方向に直交する幅方向）に見て最も壁部２ａ寄りの第１孔部５２ａのカード挿入方向での間隔は、バネ４５からの付勢力を受けてシャッタ部材４２が凹部４（カード挿入路２０）に対して進出しており、且つ、バネ４６からの付勢力を受けてシャッタ部材４２がカード挿入方向に延びる壁部２ａ寄りの位置にある状態において、シャッタ部材４２がシャフト４４回りに所定の微小角度揺動した際に、突出部４７ａの第１延設部４９が前側の壁面５２ｃと当接し、シャッタ部材４２の所定の微小角度以上の揺動を規制するように設定されている。
【００３１】
ベース板１の対向面１ａのカード挿入方向で見てシャッタ部材格納孔（図示せず）より後側の位置に、凸部５７が設けられている。凸部５７の高さは、バネ４５からの付勢力を受けてシャッタ部材４２が凹部４（カード挿入路２０）に対して進出しており、且つ、バネ４６からの付勢力を受けてシャッタ部材４２がカード挿入方向に延びる壁部２ａ寄りの位置にある状態において、第１延設部４９と前側の壁面５２ｃとの関係と同様に、シャッタ部材４２がシャフト４４回りに所定の微小角度揺動した際に、第２延設部５０が凸部５７と当接し、シャッタ部材４２の所定の微小角度以上の揺動を規制するように設定されている。ここで、第１孔部５２ａにおける前側の壁面５２ｃ及び凸部５７は、各請求項におけるストッパ部を構成している。
【００３２】
第１孔部５２ａ以外の第１孔部５３ａ，５４ａ，５５ａ，５６ａのカード挿入方向での間隔は、第１孔部５２ａの間隔より、カード挿入方向に長く設定されている。第１延設部４９あるいは前側の壁面５２ｃ、及び、第２延設部５０あるいは凸部５７が変形し、シャッタ部材４２の揺動を規制することが不可能となった場合に、各突出部４７ｂ，４７ｃ，４７ｄ，４７ｅが対応する前側の壁面５３ｃ，５４ｃ，５５ｃ，５６ｃと当接することにより、シャッタ部材４２の揺動を規制する補助的な役割を果たす。ここで、各第１孔部５３ａ，５４ａ，５５ａ，５６ａにおける前側の壁面５３ｃ，５４ｃ，５５ｃ，５６ｃも、第１孔部５２ａにおける前側の壁面５２ｃ及び凸部５７と同様に、各請求項におけるストッパ部を構成している。
【００３３】
ベース板１のカード挿入方向で見てシャッタ部材格納孔（図示せず）より前側の部分は、孔部５２，５３，５４，５５，５６（第２孔部５２ｂ，５３ｂ，５４ｂ，５５ｂ，５６ｂ）の形状に対応して切り欠かれた切欠部５８ａ，５８ｂ，５８ｃ，５８ｄ，５８ｅが設けられている。従って、孔部５２，５６（第２孔部５２ｂ，５６ｂ）に対応する切欠部５８ａ，５８ｅのカード挿入方向での切欠き長さは、他の切欠部５８ｂ，５８ｃ，５８ｄのカード挿入方向での切欠き長さよりも大きく設定されている。切欠部５８ｂ，５８ｄの上部には、切欠部５８ｂ，５８ｄのカード挿入方向での前側端部を覆う形で、突出部４７ｂ，４７ｄと当接して、シャッタ部材４２の揺動を規制するための規制部５９，５９が設けられている。
【００３４】
切欠部３を挟んで、磁気ヘッド２５が設けられたカード載置部１８ｂに対向するベース板部分１ｂには、レバー部材６０が設けられている。レバー部材６０は、概ねカード挿入方向に平行な状態で、ベース板１に形成されたレバー部材支持部６１に揺動自在に支持されている。レバー部材支持部６１は、ベース板１から上方に延びて筒状に形成されている。レバー部材６０は基部６２を有し、図２に示すように、ベース板１に設けられた状態でカード挿入方向に見て、順にカード当接部６３、支点部６４、シャッタ部材当接部６５及びスイッチ当接部６６とを有している。
【００３５】
基部６２は、ベース板１に設けられた状態で、カード挿入方向に延びる略平板状に形成されている。カード当接部６３は、基部６２のカード挿入方向後方端から下方に延びて形成されており、カード挿入路２０に挿入されたＩＣカードＣに当接し得るようになっている。スイッチ当接部６６は、基部６２のカード挿入方向前方端に設けられ、第１マイクロスイッチ１５のスイッチ部１５ａに当接し得るようになっている。支点部６４は、基部６２のカード当接部６３とスイッチ当接部６６との間の位置に、下方に延びて形成され、筒状に形成されたレバー部材支持部６１に挿入されるようになっている。従って、レバー部材６０は、支点部６４のカードの厚さ方向に延びる中心軸を中心にして、ＩＣカードＣに略平行な面内において揺動する。シャッタ部材当接部６５は、基部６２の支点部６４とスイッチ当接部６６との間の位置に設けられ、図１０に示されるように、シャッタ部材４２の第１延設部４９とレバー部材当接部５１との間の間隙に位置し、レバー部材当接部５１と当接し得るようになっている。シャッタ部材当接部６５及びスイッチ当接部６６とは剛性を高めるために基部６２より所定長さ下方に延びて形成され、また、シャッタ部材当接部６５とスイッチ当接部６６との間には上下方向に延びる壁部６７が形成されている。
【００３６】
ベース板１の切欠部３及び底板１８の切欠部１９を挟んで、磁気ヘッド２５が設けられたカード載置部１８ｂに対向するベース板部分１ｂ及びカード載置部１８ａには、切欠部３に連設して、切欠部６８が形成されている。カード当接部６３の下方部は、切欠部６８内に位置し、凹部４（カード挿入路２０）内に進出した状態で設けられる。カード挿入方向に直交する方向で且つカード挿入方向に延びる壁部２ｂからカード挿入方向に延びる壁部２ａの方向に方向に作用するバネ４６の付勢力が、シャッタ部材４２（レバー部材当接部５１）を介してレバー部材６０に作用するので、レバー部材６０のスイッチ当接部６６は、壁部２ａに向けて（図２において上方向）付勢力を受ける。これにより、レバー部材６０は、カード当接部６３が凹部４（カード挿入路２０）内に進出する方向に、常時付勢されることになる。
【００３７】
図１２に示すように、カード当接部６３のＩＣカードＣと当接する部分には、カード厚さ方向に所定間隔（α）を有する溝部６９が形成されている。ＩＣカードＣが挿入されていない状態において、溝部６９の底部７０とカード当接部６３に対向する凹部４の側壁４ｂとのカード挿入方向に直交する方向での間隔は、使用されるＩＣカードＣの挿入方向に直交する方向でのカード幅より大きい値に設定されている。また、溝部６９の開口部７１近傍は、カード挿入方向から見て、テーパ状に形成されている。上述した溝部６９のカード厚さ方向での所定間隔（α）は、使用されるＩＣカードＣの厚さより若干小さい値に設定されており、使用されるＩＣカードに応じて設定を変更することが望ましい。
【００３８】
上述したレバー部材６０と第１マイクロスイッチ１５との当接関係により、第１マイクロスイッチ１５は、レバー部材６０の支点部６４を中心とした揺動、すなわち、ＩＣカードＣがカード挿入口２１から挿入されたか否かを検出することが可能となる。第１マイクロスイッチ１５は、ＩＣカードＣがカード挿入口２１から挿入され、カード当接部６３にＩＣカードＣが当接してレバー部材６０が揺動することにより、スイッチ部１５ａ（接点）が押圧されてＯＮ信号が出力され、ＩＣカードＣがカード挿入口２１から引き抜かれ、ＩＣカードＣの無い状態では、スイッチ部１５ａ（接点）が復帰してＯＦＦ信号が出力されるように構成されている。
【００３９】
また、第２マイクロスイッチ１６は、接点ユニット３１（端子取付部３２）との当接関係により、ＩＣカードＣの前端部が凹部４（カード挿入路２０）のカード挿入方向前端側の所定位置まで挿入されたか否かを検出することが可能となる。第２マイクロスイッチ１６は、挿入されたＩＣカードＣの角部がカード当接部３３に当接して接点ユニット３１（端子取付部３２）をカード挿入方向に移動させ、ＩＣカードＣの前端部が凹部４（カード挿入路２０）のカード挿入方向前端側の所定位置まで挿入された際に、接点ユニット３１（端子取付部３２）のカード挿入方向前端面が当接することにより、スイッチ部１６ａ（接点）が押圧されてＯＮ信号が出力され、ＩＣカードＣがカード挿入口２１から引き抜かれ、ＩＣカードＣの無い状態では、スイッチ部１６ａ（接点）が復帰してＯＦＦ信号が出力されるように構成されている。
【００４０】
ベース板１のカード挿入方向前端近傍の位置には、カード押圧部材７２が、ベース板１から上方に延びて形成された筒部７３内に納められた状態で設けられている。カード押圧部材７２（筒部７３）は、第１マイクロスイッチ１５の長軸方向の略延長線上且つ第２マイクロスイッチ１６の長軸方向の略延長線上に位置している。カード押圧部材７２は、その下端に押圧部（図示せず）を有し、この押圧部（図示せず）がベース板１をカード厚さ方向に貫通して形成された孔部（図示せず）を介して、ベース板１の下面から凹部４（カード挿入路２０）内のカード挿入方向前端近傍の位置に進出するように設けられると共に、バネ（図示せず）により底板１８方向に付勢力が付与されている。バネ（図示せず）の上端部は、筒部７３の上端部に係合固定されるプレート部材７６に当接しており、バネ（図示せず）は予め圧縮された状態で筒部７３内に納められている。押圧部（図示せず）の下面のカード挿入方向後方側は、カード挿入方向前方に向かって下側にやや傾斜してテーパ状に形成されている。これにより、挿入されたＩＣカードＣ先端部が、押圧部（図示せず）の下面の下に入りやすく構成されている。
【００４１】
機器本体Ａの上面は略平板状に形成されたカバー８１で覆われており、カバー８１はベース板１上に立設されたボス部（図示せず）にネジによって固定される。カバー８１の下面には、レバー部材６０のシャッタ部材当接部６５に対応する位置、第１マイクロスイッチ１５に対応する位置、第２マイクロスイッチ１６に対応する位置の各々に下方に延設された突出部８３が形成されている。各突出部８３は、レバー部材６０（特に、シャッタ部材当接部６５）、第１マイクロスイッチ１５及び第２マイクロスイッチ１６の上方への移動を規制するようにその高さが設定されている。ＩＣカードＣの上面には、接点ユニット３１の接点端子３６が対接する電極部Ｃ１と、ＩＣカードＣの所有者氏名等がエンボス加工されて記録されているエンボス加工部Ｃ２が形成されている。
【００４２】
このような構成において、図１に示すように、ＩＣカードＣを底板１８のカード載置部１８ａ，１８ｂと、凹部４の両側壁４ａ，４ｂとの間に挿入し、カード挿入口２１から凹部４（カード挿入路２０）に挿入する。ＩＣカードＣが未だ挿入されていない状態又は挿入されたＩＣカードＣがレバー部材６０のカード当接部６３に達していない状態（図２に示された状態）では、シャッタ部材４２は、バネ４５からの付勢力を受けて凹部４（カード挿入路２０）に対して進出した状態にある。シャッタ部材４２が凹部４（カード挿入路２０）に対して進出した状態では、各突出部４７ａ，４７ｂ，４７ｃ，４７ｄ，４７ｅが各々対応する孔部５２，５３，５４，５５，５６内に入った状態とされている。また、シャッタ部材４２は、バネ４６からカード挿入方向に直交する方向で且つカード挿入方向に延びる壁部２ｂからカード挿入方向に延びる壁部２ａの方向に方向に作用する付勢力を受けて、カード挿入方向に延びる壁部２ａ寄りの位置にある状態とされる。レバー部材６０に対してはシャッタ部材４２（レバー部材当接部５１）を介して上述されたバネ４６の付勢力が作用し、レバー部材６０はカード当接部６３を凹部４（カード挿入路２０）内に進出させた状態とされる。
【００４３】
上述された状態では、第１延設部４９が前側の壁面５２ｃと対向する位置、及び、第２延設部５０が凸部５７と対向する位置にあるため、何らかの手段によりシャッタ部材４２をカード挿入方向に押圧し、シャッタ部材４２を揺動させようとしても、シャッタ部材４２がシャフト４４回りに所定の微小角度揺動した際に、第１延設部４９が前側の壁面５２ｃと当接し、第２延設部５０が凸部５７と当接し、上述した所定の微小角度以上のシャッタ部材４２の凹部４（カード挿入路２０）からの退出方向への揺動が規制され、シャッタ部材４２は、カード挿入路２０に対して進出した状態が維持される。また、各突出部４７ｂ，４７ｃ，４７ｄ，４７ｅも、前側の壁面５３ｃ，５４ｃ，５５ｃ，５６ｃと対向する位置にあり、前側の壁面５３ｃ，５４ｃ，５５ｃ，５６ｃと当接することにより、シャッタ部材４２の揺動を補助的に規制している。
【００４４】
ＩＣカードＣが挿入され、挿入されるＩＣカードＣ前端の一方の角部がレバー部材６０のカード当接部６３に当接する（図６に示された状態）と、角部はカード当接部６３を平面視で見て凹部４（カード挿入路２０）から退出する方向（図６において上方向）に押圧する。ＩＣカードＣによるカード当接部６３への押圧により、レバー部材６０は支点部６４を中心に時計回りに揺動し、シャッタ部材当接部６５及びスイッチ当接部６６を平面視で見て凹部４（カード挿入路２０）の内側方向（図６において下方向）に移動させる。これにより、スイッチ当接部６６は第１マイクロスイッチ１５のスイッチ部１５ａ（接点）を押圧する。第１マイクロスイッチ１５は、スイッチ部１５ａの押圧を受け、ＯＮ信号を出力する。シャッタ部材当接部６５はシャッタ部材４２のレバー部材当接部５１に当接し、シャッタ部材４２をバネ４６の付勢力に抗しながら、カード挿入方向に直交する方向で且つカード挿入方向に延びる壁部２ａからカード挿入方向に延びる壁部２ｂの方向に移動させる。第１延設部４９が前側の壁面５２ｃと対向する位置、及び、第２延設部５０が凸部５７と対向する位置から外れるため、上述したシャッタ部材４２の凹部４（カード挿入路２０）からの退出方向への移動規制が解除され、シャッタ部材４２は凹部４（カード挿入路２０）から退出が可能な状態とされる。
【００４５】
図１２（ａ）に示すように、通常使用されるＩＣカードＣが挿入された場合、ＩＣカードＣはカード当接部６３に形成されたテーパ面に当接し、上述した様にカード当接部６３（レバー部材６０）が、図１２（ａ）においては左方向に移動する。しかしながら、厚さが溝部６９の所定間隔（α）より薄いカードＤが挿入された場合は、図１２（ｂ）に示すように、カードＤがカード当接部６３に当接することはない。従って、レバー部材６０が揺動することはなく、第１延設部４９が前側の壁面５２ｃと対向する位置、及び、第２延設部５０が凸部５７と対向する位置にあるため、カードＤによりシャッタ部材４２をカード挿入方向に押圧したとしても、第１延設部４９が前側の壁面５２ｃと当接し、第２延設部５０が凸部５７と当接し、シャッタ部材４２の凹部４（カード挿入路２０）からの退出方向への移動が規制され、シャッタ部材４２は、カード挿入路２０に対して進出した状態が維持される。
【００４６】
ＩＣカードＣの挿入が進むと、ＩＣカードＣの前端面がシャッタ部材４２と当接するようになる。この状態では、シャッタ部材４２の凹部４（カード挿入路２０）からの退出方向への移動規制が解除されているので、ＩＣカードＣからの押圧力を受けて、シャッタ部材４２はシャフト４４を中心にして揺動する。シャッタ部材４２の揺動により、シャッタ部４２ａの各突出部４７ａ，４７ｂ，４７ｃ，４７ｄ，４７ｅが孔部５２，５３，５４，５５，５６（第２孔部５２ｂ，５３ｂ，５４ｂ，５５ｂ，５６ｂ）内を移動し、シャッタ部材４２（シャッタ部４２ａ）は凹部４（カード挿入路２０）から退出する。従って、図１１に示されるように、ＩＣカードＣはシャッタ部材４２を押し上げながらカード挿入路２０内を進むことになる。ＩＣカードＣがシャッタ部材４２を押し上げながらカード挿入路２０内を進む際には、シャッタ部４２ａの爪部４８（突出部４７ａ，４７ｅ）が設けられた位置でのカード厚さ方向の長さが、突出部４７ｂ，４７ｃ，４７ｄが設けられた位置でのカード厚さ方向の長さより長くなるように設定されているので、図９又は図１１に示されるように、爪部４８，４８がＩＣカードＣのカード挿入方向に直交する幅方向での端部の表面に当接し、突出部４７ｂ，４７ｃ，４７ｄがＩＣカードＣの表面に当接することはない。
【００４７】
更に、ＩＣカードＣが挿入されると、挿入されるＩＣカードＣ前端の他方の角部は、接点ユニット３１のカード当接部３３（カード当接面３９）に当接し、カード当接部３３を引張りスプリング４１のバネ力に抗してカード挿入方向に押圧する。押圧されたカード当接部３３は、サブガイド孔１３内をカード挿入方向に移動する。また、カード当接部３３にＩＣカードＣから与えられた押圧力は、腕部３４を介して端子取付部３２に伝わり、端子取付部３２は、第１ガイド壁８のガイド溝８ａ及び第２ガイド壁１０のガイド面１０ａによってカード挿入方向に降下する。ＩＣカードＣの挿入が進むと、端子取付部３２は、ガイド孔９から接点端子３６をカード挿入路２０内に臨ませながら下降且つカード挿入方向に移動し、端子取付部３２の接点端子３６がＩＣカードＣの電極部Ｃ１に対接することになる。
【００４８】
ＩＣカードＣは、ＩＣカードＣ前端の他方の角部が突出部（図示せず）に当接することにより、カード挿入方向への挿入が規制される（図７及び図８に示される状態）。このとき、ＩＣカードＣ前端の一方の角部の近傍部分は、下面のカード挿入方向後方側がテーパ状に形成された押圧部（図示せず）の下方に入り込むことになる。ＩＣカードＣには、筒部７３内に設けられたバネ（図示せず）からの付勢力がカード押圧部材７２を介して凹部４下面から底板１８方向に向かって作用する。これにより、ＩＣカードＣ前端の一方の角部の近傍部分は底板１８の上面に押圧され、ＩＣカードＣは突出部（図示せず）に当接した状態に保持される。接点ユニット３１（端子取付部３２）のカード挿入方向前端面側がガイド孔９（サブガイド孔１３）のカード挿入方向前端近傍に到達すると、接点ユニット３１（端子取付部３２）のカード挿入方向前端面は第２マイクロスイッチ１６のスイッチ部１６ａ（接点）を押圧する。第２マイクロスイッチ１６は、スイッチ部１６ａの押圧を受け、ＯＮ信号を出力する。
【００４９】
端子取付部３２の接点端子３６がＩＣカードＣの電極部Ｃ１に対接した状態で、接点端子３６を介してＩＣカードＣのデータが処理される。詳細には、第１マイクロスイッチ１５及び第２マイクロスイッチ１６の両者からＯＮ信号が出力されている場合に、ＩＣカードＣのデータが処理されることになる。また、ＩＣカードＣの所定位置に磁気情報が記録されている場合は、磁気情報が記録されている部分が磁気ヘッド２５を通過する際に、磁気ヘッド２５により記録された磁気情報が読み出される。詳細には、第１マイクロスイッチ１５からＯＮ信号が出力され第２マイクロスイッチ１６からＯＮ信号が出力されるまでの間、磁気情報が読み出されることになる。読み出された磁気情報は、カード会社等のホストコンピュータ等に通信され、挿入されたカードが使用可能なものか否かが判断され、その結果が返送されてくるように構成されている。
【００５０】
上述されたように、本実施形態のＩＣカード処理装置においては、ＩＣカードＣが挿入されていない状態において、シャッタ部材４２は、バネ４５によりカード挿入路２０（凹部４）に対して進出方向に付勢力が付与され、第１延設部４９が前側の壁面５２ｃと対向する位置、及び、第２延設部５０が凸部５７と対向する位置にあり、第１延設部４９と前側の壁面５２ｃとの当接関係、及び、第２延設部５０が凸部５７との当接関係により退出方向への移動を規制されているため、カード挿入路２０（凹部４）に対して進出した状態が維持される。これにより、カード挿入口２１からカード挿入路２０（凹部４）に異物等が挿入されることを防止することができる。また、各突出部４７ｂ，４７ｃ，４７ｄ，４７ｅも前側の壁面５３ｃ，５４ｃ，５５ｃ，５６ｃと対向する位置にあり、各突出部４７ｂ，４７ｃ，４７ｄ，４７ｅと前側の壁面５３ｃ，５４ｃ，５５ｃ，５６ｃとの当接関係によっても、シャッタ部材４２は退出方向への移動を規制されるため、万が一、第１延設部４９あるいは前側の壁面５２ｃ、及び、第２延設部５０あるいは凸部５７が変形し、シャッタ部材４２の揺動を規制することが不可能となった場合においても、カード挿入路２０（凹部４）に対して進出した状態が維持される。
【００５１】
また、第１延設部４９、第２延設部５０、各突出部４７ｂ，４７ｃ，４７ｄ，４７ｅは、シャフト４４の中心軸方向に見て所定間隔を有してシャッタ部材４２に設けられると共に、これら第１延設部４９、第２延設部５０、各突出部４７ｂ，４７ｃ，４７ｄ，４７ｅに対応して、前側の壁面５２ｃ，５３ｃ，５４ｃ，５５ｃ，５６ｃ、凸部５７が設けられているので、カード挿入口２１からカード挿入路２０（凹部４）に異物、例えば金尺を強制的に挿入しようとした場合でも、シャッタ部材４２は、上述した第１延設部４９、第２延設部５０、各突出部４７ｂ，４７ｃ，４７ｄ，４７ｅの複数の位置にて、各々前側の壁面５２ｃ，５３ｃ，５４ｃ，５５ｃ，５６ｃ、凸部５７に当接し、異物を押し込むことにより作用する力がシャッタ部材４２から各前側の壁面５２ｃ，５３ｃ，５４ｃ，５５ｃ，５６ｃ、凸部５７に分散して作用することになり、力が集中することによるシャッタ部材４２の変形を抑制することができ、シャッタ部材４２の変形による異物の挿入を防止することが可能となる。
【００５２】
また、特に、異物を押し込むことにより作用する力がシャッタ部材４２から各前側の壁面５２ｃ，５３ｃ，５４ｃ，５５ｃ，５６ｃに分散して作用することになるため、シャフト４４の中心軸方向に見て、シャッタ部材４２における異物から力が作用する位置と第１延設部４９、各突出部４７ｂ，４７ｃ，４７ｄ，４７ｅ（各前側の壁面５２ｃ，５３ｃ，５４ｃ，５５ｃ，５６ｃ）が設けられた位置とが近づけられることになり、異物から作用する位置と第１延設部４９、各突出部４７ｂ，４７ｃ，４７ｄ，４７ｅ（各前側の壁面５２ｃ，５３ｃ，５４ｃ，５５ｃ，５６ｃ）が設けられた位置が離れることによるシャッタ部材４２のねじれ変形を抑制することができ、シャッタ部材４２の変形による異物の挿入を防止することが可能となる。
【００５３】
また、第１延設部４９及び第２延設部５０が、シャフト４４の中心軸方向に見てシャッタ部材４２に端部近傍位置に各々設けられているので、第１延設部４９と前側の壁面５２ｃ、及び、第２延設部５０と凸部５７の２カ所で当接関係を有するように構成した場合においても、効果的にシャッタ部材４２の上述した変形を抑制することが可能となる。
【００５４】
また、カード挿入路２０（凹部４）に挿入されたＩＣカードＣが挿入された場合には、挿入されたＩＣカードＣがカード当接部６３に当接することによりレバー部材６０が揺動し、シャッタ部材４２がカード挿入方向に直交する方向で且つカード挿入方向に延びる壁部２ａからカード挿入方向に延びる壁部２ｂの方向に移動し、第１延設部４９が前側の壁面５２ｃと対向する位置、及び、第２延設部５０が凸部５７と対向する位置から外れ、第１延設部４９と前側の壁面５２ｃとの当接関係、及び、第２延設部５０が凸部５７との当接関係が解かれる。これにより、第１延設部４９と前側の壁面５２ｃとが、また、第２延設部５０と凸部５７とが当接することなく、シャッタ部材４２はカード挿入路２０（凹部４）から退出方向に移動可能となり、挿入されたＩＣカードＣにより押され、バネ４５による付勢力に抗しながらカード挿入路２０（凹部４）から退出方向に移動する。従って、フォトセンサ及び電磁ソレノイド等を設けることなく、シャッタ部材４２とレバー部材６０とによる機械的な可動機構により、シャッタ部材４２をカード挿入路２０（凹部４）へのＩＣカードＣの挿入に対して障害とならないように移動させることが可能となり、ＩＣカード処理装置の大型化及び装置構成の複雑化を招くことが防止できる。
【００５５】
また、シャッタ部材４２は、レバー部材６０に当接するレバー部材当接部５１と、ストッパ部としての前側の壁面５２ｃに対向、当接する第１延設部４９と、同じくストッパ部としての凸部５７に対向、当接する第２延設部５０とを有し、カード挿入方向とは交わる方向に伸びるシャフト４４の中心軸回りに揺動可能且つシャフト４４の中心軸方向に移動可能に設けられている。シャッタ部材４２は、シャフト４４の中心軸回りに揺動することにより、カード挿入路２０（凹部４）に対して進出方向及び退出方向に移動し、レバー部材６０の揺動がレバー部材当接部５１を介してシャッタ部材４２に伝達されることにより、シャッタ部材４２はカード挿入方向と交わる方向に移動されて、第１延設部４９と前側の壁面５２ｃとの当接関係、及び、第２延設部５０が凸部５７との当接関係が解かれるように構成されているので、シャッタ部材４２の、カード挿入路２０（凹部４）に対して進出方向及び退出方向への移動、及び、第１延設部４９と前側の壁面５２ｃとの当接関係、及び、第２延設部５０が凸部５７との当接関係を解除するための移動を実現するための構造を、簡易且つ低コストで実現することが可能となる。
【００５６】
また、底板１８に形成された各孔部５２，５３，５４，５５，５６に、シャッタ部材４２がカード挿入路２０（凹部４）に対して進出して、シャッタ部４２ａによりカード挿入路２０が塞がれた状態において、対応する突出部４７ａ，４７ｂ，４７ｃ，４７ｄ，４７ｅが入っているので、カード挿入口２１から紙あるいは金尺といった厚さの薄い異物が挿入された場合においても、上述したような異物の挿入を確実に阻止することが可能となる。
【００５７】
また、各孔部５２，５３，５４，５５，５６は、各突出部４７ａ，４７ｂ，４７ｃ，４７ｄ，４７ｅがシャフト４４の中心軸方向（カードのカード挿入方向に直交する幅方向）に移動し得るようにシャフト４４の中心軸方向（カードのカード挿入方向に直交する幅方向）に所定の間隔を有した第１孔部５２ａ，５３ａ，５４ａ，５５ａ，５６ａと、シャフト４４の中心軸方向（カードのカード挿入方向に直交する幅方向）での間隔が第１孔部より小さい間隔を有し、且つ、シャッタ部材４２がシャフト４４の中心軸方向（カードのカード挿入方向に直交する幅方向）に移動された状態からシャフト４４回りに揺動し得るように、カード挿入方向に各突出部４７ａ，４７ｂ，４７ｃ，４７ｄ，４７ｅの先端の移動軌跡と干渉しない所定の間隔を有した第２孔部５２ｂ，５３ｂ，５４ｂ，５５ｂ，５６ｂとを含んでおり、第１孔部５２ａ，５３ａ，５４ａ，５５ａ，５６ａの前側の壁面５２ｃ，５３ｃ，５４ｃ，５５ｃ，５６ｃが各々第１延設部４９、各突出部４７ｂ，４７ｃ，４７ｄ，４７ｅと対向、当接するように構成されるため、各孔部５２，５３，５４，５５，５６に、シャッタ部材４２の退出方向への移動を規制するためのストッパ部の機能を持たせることができ、構成の簡素化を図ることが可能となる。
【００５８】
また、カード挿入口２１から紙のように厚さが薄く且つ容易に変形する異物が挿入された場合に、異物がシャッタ部材４２に当接して湾曲し、突出部４７ａ，４７ｂ，４７ｃ，４７ｄ，４７ｅの下方に潜り込む状態となり、突出部４７ａ，４７ｂ，４７ｃ，４７ｄ，４７ｅと孔部５２，５３，５４，５５，５６の底部との間から挿入されてしまうことが考えられる。しかしながら、各突出部４７ａ，４７ｂ，４７ｃ，４７ｄ，４７ｅに対応して、孔部５２，５３，５４，５５，５６が設けられているため、突出部４７ａ，４７ｂ，４７ｃ，４７ｄ，４７ｅが入る孔部がシャフト４４の中心軸方向に連続した１つの孔部とはならず、底板１８の孔部５２，５３，５４，５５，５６の間の部分には孔部が形成されない面が設けられることになり、上述したように異物が突出部４７ａ，４７ｂ，４７ｃ，４７ｄ，４７ｅの下方に潜り込み、突出部４７ａ，４７ｂ，４７ｃ，４７ｄ，４７ｅと孔部５２，５３，５４，５５，５６の底部との間から挿入されてしまうことを防止することが可能となる。
【００５９】
また、シャッタ部材４２を、第１延設部４９、第２延設部５０、各突出部４７ｂ，４７ｃ，４７ｄ，４７ｅが各々前側の壁面５２ｃ，５３ｃ，５４ｃ，５５ｃ，５６ｃ、凸部５７と対向、当接する位置に復帰させるために、シャッタ部材４２に対してシャフト４４の中心軸方向に付勢力を付与するバネ４６が設けられており、バネ４６の付勢力は、レバー部材６０に対してカード当接部６３をカード挿入路２０（凹部４）に突出させる方向に作用する。これにより、バネ４６の付勢力により、カード当接部６３がカード挿入路２０（凹部４）に突出し、且つ、シャッタ部材４２の退出方向への移動を規制した状態が維持される。従って、バネ４６を設けることにより、シャッタ部材４２の退出方向への移動を規制した状態を、レバー部材６０及びシャッタ部材４２の初期状態として設定することが可能となり、構成の簡素化及び部品点数の削減を図ることができる。
【００６０】
また、カード当接部６３には、カード厚さ方向に所定間隔（α）を有する溝部６９が形成されており、溝部６９の底部７０とカード当接部６３に対向するカード挿入路２０（凹部４）の側壁４ｂとのカード挿入方向に直交する方向での間隔が、使用されるカードの挿入方向に直交する方向でのカード幅より大きい値に設定されている。これにより、使用されるＩＣカードＣより厚さの薄い異なるカードが挿入された場合には、使用されるＩＣカードＣより厚さの薄いカードが溝部６９を通過することになり、レバー部材６０が揺動されることはない。従って、シャッタ部材４２の退出方向への移動を規制した状態が維持され、誤って、異なるカードが挿入されることを防止できる。また、新たに検出手段等を設けることなく、カード厚さの検知を機械的に行うことが可能となり、構造が複雑化及び部品点数が増加することが抑制される。
【００６１】
また、溝部６９の開口部７１近傍は、カード挿入方向から見て、テーパ状に形成されている。これにより、使用されるＩＣカードＣのカード厚さにバラツキが存在する場合でも、このバラツキを吸収してスムーズにＩＣカードＣを挿入することが可能となる。
【００６２】
また、レバー部材６０のカード挿入方向前方端に形成されたスイッチ当接部６６に当接して第１マイクロスイッチ１５が設けられている。第１マイクロスイッチ１５は、レバー部材６０の揺動方向に応じてＯＮ信号又はＯＦＦ信号を出力する。これにより、ＩＣカードＣが挿入されることによりレバー部材６０が揺動することを利用して、カード挿入口２１からＩＣカードＣが挿入されたことを検出することが可能となる。従って、ＩＣカードＣが挿入されたことを検出する検出手段を簡素化することができる。
【００６３】
また、レバー部材６０はカード挿入方向に略平行な状態で、ベース板１（レバー部材支持部６１）に支持されており、第１マイクロスイッチ１５はその長軸方向がカード挿入方向に略平行な状態で、同じくベース板１に設けられている。これにより、レバー部材６０及び第１マイクロスイッチ１５を設けるに際して、機器本体Ａのカード挿入方向に直交するカード幅方向での長さが大きくなること抑制し、カード処理装置の小型化を図ることが可能となる。また、ＩＣカードＣが先端まで挿入されたことを検出する第２マイクロスイッチ１６も、その長軸方向がカード挿入方向に略直交する状態でベース板１に設けられているので、機器本体Ａのカード挿入方向での長さが大きくなること抑制できる。特に、シャフト４４の中心軸方向（カードのカード挿入方向に直交する幅方向）に見て端に位置する突出部４７ａに対応する孔部５２の第２孔部５２ｂのカード挿入方向での間隔は、爪部４８の先端の移動軌跡と干渉しないように、他の第２孔部５３ｂ，５４ｂ，５５ｂのカード挿入方向での間隔よりも大きく設定されており、機器本体Ａのカード挿入方向での長さの抑制に対して制約となるが、第２マイクロスイッチ１６は、第１マイクロスイッチ１５の長軸方向での延長線上から離れた位置で且つ長軸方向がカード挿入方向に略直交する状態でベース板１に設けられているので、上述した制約の存在にも拘わらず、カード処理装置の小型化をより図ることが可能となる。
【００６４】
上述された実施形態においては、シャッタ部材４２の揺動を規制するストッパ部として第１孔部５２ａにおける前側の壁面５２ｃ及び凸部５７を設け、ストッパ当接部としてシャッタ部材４２に第１延設部４９及び第２延設部５０を設けているが、必ずしも、ストッパ部及びストッパ当接部を２カ所設ける必要はなく、第１孔部５２ａにおける前側の壁面５２ｃあるいは凸部５７、及び、第１延設部４９あるいは第２延設部５０の一方を設けるように構成しても良い。また、シャッタ部材４２の揺動を補助的に規制するように、各突出部４７ｂ，４７ｃ，４７ｄ，４７ｅと前側の壁面５３ｃ，５４ｃ，５５ｃ，５６ｃと対向させているが、必ずしもこれらを設ける必要はない。また、第１孔部５２ａにおける前側の壁面５２ｃと第１延設部４９、及び、凸部５７と第２延設部５０を設けることなく、各突出部４７ｂ，４７ｃ，４７ｄ，４７ｅと前側の壁面５３ｃ，５４ｃ，５５ｃ，５６ｃとを、上述した所定の微小角度以上のシャッタ部材４２の凹部４（カード挿入路２０）からの退出方向への揺動が規制されるように、対向させて配置してもよい。
【００６５】
また、本実施形態においては、ＩＣカード処理装置に基づいて説明したが、これに限られることなく、磁気カードを用いた磁気カード処理装置にも採用することも可能であり、その他種々のカード処理装置に適用できる。
【００６６】
【発明の効果】
以上、詳細に説明したように、本発明によれば、カード挿入口から異物等が挿入されることを防止するためのシャッタ部材を、カード処理装置の大型化及び装置構成の複雑化を招くことなく、且つ、カード挿入路へのカードの挿入に対して障害とならないように設けることが可能なカード処理装置を提供することができる。
【図面の簡単な説明】
【図１】本発明に係るカード処理装置の全体の外観を示す斜視図である。
【図２】本発明に係るカード処理装置のカバーを取った状態での平面図である。
【図３】本発明に係るカード処理装置のカバーを取った状態での正面図である。
【図４】図２におけるＩＶ−ＩＶ線に沿った断面図である。
【図５】図３におけるＶ−Ｖ線に沿った断面図である。
【図６】本発明に係るカード処理装置に含まれる、レバー部材及びシャッタ部材の動作を説明する平面図である。
【図７】本発明に係るカード処理装置に含まれる、レバー部材及びシャッタ部材の動作を説明する平面図である。
【図８】本発明に係るカード処理装置に含まれる、レバー部材及びシャッタ部材の動作を説明する正面図である。
【図９】本発明に係るカード処理装置に含まれる、シャッタ部材の動作を説明する説明図である。
【図１０】本発明に係るカード処理装置に含まれる、レバー部材及びシャッタ部材の当接関係を説明する要部分解斜視図である。
【図１１】本発明に係るカード処理装置に含まれる、レバー部材及びシャッタ部材の動作を説明する説明図である。
【図１２】本発明に係るカード処理装置に含まれる、レバー部材の動作を示す説明図であり、（ａ）は通常使用されるＩＣカードが挿入された状態を示し、（ｂ）は薄いカードが挿入された状態を示す。
【符号の説明】
１…ベース板、４…凹部、４ａ…側壁、４ｂ…側壁、１５…第１マイクロスイッチ、１８…底板、２０…カード挿入路、２１…カード挿入口、３１…接点ユニット、３６…接点端子、４２…シャッタ部材、４２ａ…シャッタ部、４４…シャフト、４５…バネ、４６…バネ、４７ａ，４７ｂ，４７ｃ，４７ｄ，４７ｅ…突出部、４８…爪部、４９…第１延設部、５０…第２延設部、５１…レバー部材当接部、５２，５３，５４，５５，５６…孔部、５２ａ，５３ａ，５４ａ，５５ａ，５６ａ…第１孔部、５２ｂ，５３ｂ，５４ｂ，５５ｂ，５６ｂ…第２孔部、５２ｃ，５３ｃ，５４ｃ，５５ｃ，５６ｃ…壁面、５７…凸部、６０…レバー部材、６３…カード当接部、６４…支点部、６５…シャッタ部材当接部、６６…スイッチ当接部、６９…溝部、７０…底部、７１…開口部、８１…カバー、Ａ…機器本体、Ｃ…ＩＣカード、Ｃ１…電極部、Ｃ２…エンボス加工部。
【図１】
0003567202.tif 000002
【図２】
0003567202.tif 000003
【図３】
0003567202.tif 000004
【図４】
0003567202.tif 000005
【図５】
0003567202.tif 000006
【図６】
0003567202.tif 000007
【図７】
0003567202.tif 000008
【図８】
0003567202.tif 000009
【図９】
0003567202.tif 000010
【図１０】
0003567202.tif 000011
【図１１】
0003567202.tif 000012
【図１２】
0003567202.tif 000013